(57)【特許請求の範囲】
【請求項１】
取付部材の周囲に位置して内装する該取付部材を保持する保持部と、取付部材を取り付ける被取付部材に開口する取付穴に頭部から差し込まれたときに弾性復帰することにより該取付穴の縁に端部が係合して引抜不能に取り付けられる弾性変形部と、保持部の外面側に立設されて弾性変形部を支持する支持部と、を備えて保持する取付部材を被取付部材に取り付けるために用いられるクリップであって、
前記保持部の一部を周方向に接離可能に分割して該分割箇所に係合・開放可能なロック機構を設けるとともに、前記弾性変形部および支持部を保持部の分割方向に分割し、
前記分割支持部の間にヒンジ部を設けるとともに、前記分割支持部および分割弾性変形部を前記保持部の幅方向に重ならないように離隔して設け、
前記保持部の分割箇所が離隔するのに伴って前記分割支持部が互いに近接方向に回動して分割弾性変形部の各々の端部が近接することを特徴とするクリップ。
【請求項２】
前記分割支持部および分割弾性変形部は、保持部の周方向の少なくとも一方に複数設けたことを特徴とする請求項１に記載のクリップ。
【発明の詳細な説明】
【０００１】
【発明の属する技術分野】
本発明は、取付部材を取付穴の開口する被取付部材に取り付けるクリップに関し、詳しくは、取付部材およびクリップ自体を被取付部材から容易に取り外して回収できるようにしたものに関する。
【０００２】
【従来の技術】
従来より、ワイヤーハーネスなどの取付部材を車体のボディパネルなどの被取付部材に固定する際に使用する部品として、クリップが知られており、このクリップは取付部材に固定した後に、被取付部材に開口する取付穴に差し込んで固定することができるようになっている。
【０００３】
この種のクリップとしては、図５に示すようなものがある。このクリップ１は板状部２の一面側に係止羽根部（弾性変形部）３を支持部４により支持させた矢印形状に形成されており、テープＴを板状部２に巻き付けてワイヤーハーネスＷに固定した後に、図６、図７に示すように、車体のボディパネルＰなどに開口する取付穴Ｈに係止羽根部３を弾性変形させつつ差し込んで弾性復帰したときにその端部３ａを取付穴Ｈの縁に係合係止させることにより引抜不能に固定することができるようになっている。
【０００４】
【発明が解決しようとする課題】
近年、製品をそのまま廃材とするのではなく部材を分離・再利用することが求められており、車体のボディパネルＰに取り付けたワイヤーハーネスＷやクリップ１自体も、解体時にパネルＰから取り外す必要がある。
しかしながら、このような従来のクリップにあっては、係止羽根部３が拡開して端部３ａを取付穴Ｈの縁に係合させることにより抜けないように固定するようになっているため、テープＴをカッタやハサミなどの切断具により切断してワイヤーハーネスＷを取り外していた。このため、解体作業に時間が掛かるとともに、クリップ１がパネルＰ側に残ってしまうという問題があった。
【０００５】
さらに、クリップ１を取り外す場合には、無理に外そうとすると破損して再利用することができないと共に、破片が他の部品に混入して材料の分別を困難にする要因となってしまう。このため、係止羽根部３を縮小して取付穴Ｈから外す必要があるが、係止羽根部３は板状部２およびパネルＰの反対側に位置するため、このような作業は、テープＴの切断よりもさらに煩雑で時間が掛かり、場所によっては不可能なときがあるという問題があった。
【０００６】
そこで、本発明は、ワイヤーハーネスなどの取付部材やクリップ自体を容易に取り外すことができるようにして、解体作業などの負担を軽減すると共に、クリップ自体を容易に再利用することができるようにすることを目的とする。
【０００７】
【課題を解決するための手段】
上記目的達成のため、本発明は、取付部材の周囲に位置して内装する該取付部材を保持する保持部と、取付部材を取り付ける被取付部材に開口する取付穴に頭部から差し込まれたときに弾性復帰することにより該取付穴の縁に端部が係合して引抜不能に取り付けられる弾性変形部と、保持部の外面側に立設されて弾性変形部を支持する支持部と、を備えて保持する取付部材を被取付部材に取り付けるために用いられるクリップであって、前記保持部の一部を周方向に接離可能に分割して該分割箇所に係合・開放可能なロック機構を設けるとともに、前記弾性変形部および支持部を保持部の分割方向に分割し、前記分割支持部の間にヒンジ部を設けるとともに、前記分割支持部および分割弾性変形部を前記保持部の幅方向に重ならないように離隔して設け、前記保持部の分割箇所が離隔するのに伴って前記分割支持部が互いに近接方向に回動して分割弾性変形部の各々の端部が近接することを特徴とするものである。
【０００８】
本発明では、保持部はロック機構を開放して一部を拡開し取付部品を内装・取出することができる。また、分割弾性変形部はロック機構が係合する状態では従来の弾性変形部と同様に取付穴に頭部から差し込んで弾性復帰することにより端部を取付穴の縁に係合させ引抜不能に取り付けることができるが、ロック機構を開放して分割箇所を離隔させることにより保持部の変形に伴って分割支持部が回動して互いに近接するので、分割弾性変形部の各々の端部を近接させることができ、その端部間の距離を取付穴の縁間（穴径）よりも小さくすることができる。
【０００９】
また、分割支持部の間の保持部にヒンジ部を設けるので、ロック機構を開放して分割箇所を離隔させたとき、そのヒンジ部で保持部を屈曲させて分割支持部を大きく回動・近接させることができ、分割弾性変形部の端部間の距離を容易に小さくすることができる。
【００１０】
また、分割支持部および分割弾性変形部を保持部の幅方向に重ならないように離隔して設けるので、ロック機構を開放して分割箇所を離隔させたとき、分割支持部および分割弾性変形部が互いを衝止して回動を制限することがなく、分割弾性変形部の端部間の距離を容易に小さくすることができる。
【００１１】
また、本発明は、前記分割支持部および分割弾性変形部は、保持部の周方向の少なくとも一方に複数設けたことを特徴とするものである。
この発明では、分割支持部および分割弾性変形部を保持部の周方向の少なくとも一方に複数設けるので、分割弾性変形部を保持部の幅方向に並列させることができ、弾性変形部の弾性復帰する弾性力が保持部の幅方向に対して斜め方向に加わることがない。
【００１２】
【発明の実施の形態】
以下、本発明を図面に基づいて説明する。
図１〜図３は本発明に係るクリップの第１実施形態を示す図であり、本実施形態は請求項１〜３に記載の発明に対応する。
図１において、10は弾性力を有する樹脂材料により形成されたクリップであり、クリップ10は、ワイヤーハーネス（取付部材）Ｗに巻き掛けて内装保持するリング部（保持部）11と、リング部11外面の周方向かつ幅方向に離隔するように２分割されて斜めの位置に（リング部11の幅方向に重ならない位置に）立設された支持部（分割支持部）12、13と、支持部12、13の頭部に各々支持されて並立したときに矢印形状となるように形成された弾性変形可能な係止羽根部（分割弾性変形部）14、15と、を備えている。このクリップ10は、図３に示すように、ワイヤーハーネスＷを取り付ける車両のパネル（被取付部材）Ｐに開口する取付穴Ｈに係止羽根部14、15を頭部から差し込んで弾性復帰したときにその端部14ａ、15ａが取付穴Ｈの縁に係合係止して引抜不能に取り付けることができる。
【００１３】
リング部11は、支持部12、13の反対側を周方向に接離可能に分割されており、その分割箇所には鍵の手状に屈曲する係合爪17およびその係合爪17先端を収納する溝部16からなるロック機構18が形成されている。また、リング部11は、支持部12、13の間に薄肉に形成したヒンジ部19が形成されている。
したがって、ロック機構18を開放して係合爪17と溝部16とを離隔させたときには、図２に示すように、ヒンジ部19でリング部11を容易に屈曲させることができ、この状態としたときにワイヤーハーネスＷを容易に内装することができるとともに、容易に取り外すことができる。また、この状態のときには支持部12、13は互いに近接し交叉することができ（互いに衝止して回動を制限することなく）、係止羽根部14、15の端部14ａ、15ａ間の距離ＬをパネルＰの取付穴Ｈの穴径よりも小さくすることができる。このため、クリップ10自体も取付穴Ｈから容易に取り外すことができる。
【００１４】
また、係止羽根部14、15は、頭部から端部14ａ、15ａまでの斜面をパネルＰの取付穴Ｈの縁に沿う形状に形成されており、取付穴Ｈに取り付けたときには端部14ａ、15ａを十分に係合させて引抜不能に係止させることができる。
このように本実施形態においては、ロック機構18の係合爪17と溝部16を離隔させて開放させたときには、リング部11が容易にヒンジ部19で大きく屈曲してワイヤーハーネスＷを容易に内装保持することができ、この後にロック機構18の係合爪17を溝部16に係合させた状態では、従来通りに取付穴Ｈに係合羽根部14、15を差し込んで端部14ａ、15ａを係合させ引抜不能に係止させることができる。そして、解体時などに、ロック機構18の係合爪17と溝部16とを離隔させて開放させたときには、リング部11が容易にヒンジ部19で大きく屈曲してワイヤーハーネスＷを容易に取り外すこともできるとともに、係合羽根部14、15の端部14ａ、15ａ間距離Ｌを小さくして取付穴Ｈから容易に取り外すことができる。したがって、ワイヤーハーネスＷおよびクリップ10自体も容易にパネルＰから取り外すことができる。この結果、解体作業時の負担を軽減することができ、クリップ10自体も再利用することができる。
【００１５】
なお、本実施形態ではリング部11にヒンジ部19を設けているが、そのヒンジ部19を設けずにロック機構18の係合爪17と溝部16を離隔させることによるリング部11全体の弾性変形に伴って係合羽根部14、15の端部14ａ、15ａ間距離Ｌを取付穴Ｈの穴径よりも小さくさせ取付穴Ｈから取り外すことができるようにしてもよいことは云うまでもない。
【００１６】
次に、図４は本発明に係るクリップの第２実施形態を示す図であり、本実施形態は請求項１〜４に記載の発明に対応する。なお、本実施形態は、上述実施形態と略同様に構成されているので、同様な構成には同一の符号を付して特徴部分のみを説明する。
図４において、リング部11のヒンジ部19の両側には、一方に幅方向中央に支持部（分割支持部）22が立設されるとともに、他方には幅方向中央の両側に支持部（分割支持部）23、24が並列に立設されており、これら支持部22〜24はリング部11の幅方向に重ならない位置に立設して、ロック機構18の開放によりリング部11がヒンジ部19で屈曲したときに交叉することができるようになっている。
【００１７】
また、これら支持部22〜24は、頭部に係止羽根部（分割弾性変形部）25〜27を各々支持しており、係止羽根部25〜27は頭部から端部25ａ〜27ａまでの斜面をパネルＰの取付穴Ｈの縁に沿う形状に形成して端部25ａ〜27ａを十分に係合させて引抜不能に係止させることができるようになっている。
このように本実施形態では、上述実施形態の作用効果を得ることができるとともに、端部25ａ〜27ａをパネルＰの取付穴Ｈに係合させる係止羽根部25〜27は、支持部22〜24がリング部11の幅方向中央で対称に配置されているため、リング部11の幅方向に偏った係止羽根部25〜27の弾性力を取付穴Ｈに加えて保持するワイヤーハーネスＷに回転力を加えることがない。
【００１８】
なお、本実施形態では、リング部11のヒンジ部19の両側に支持部22〜24を１対２に配置するが、これに限るものではないことは云うまでもなく、ワイヤーハーネスＷに影響のある回転力が生じないように、係止羽根部を配置すればよい。
【００１９】
【発明の効果】
本発明によれば、保持部のロック機構により取付部品を内装・取出することができるとともに、ロック機構が係合する状態で分割弾性変形部を取付穴に頭部から差し込んで端部を係合させ引抜不能に取り付けた後でも、ロック機構を開放するだけで保持部の変形と共に分割弾性変形部の端部間を小さくすることができ、取付穴から容易に取り外すことができる。したがって、取付部材およびクリップ自体も容易に取り外すことができ、解体作業時の負担を軽減すると共に、クリップ自体も再利用することができる。
【００２０】
また、分割支持部の間のヒンジ部で保持部を容易に屈曲させ分割弾性変形部の端部間を容易に小さくすることができ、保持部全体を変形させることなく取付穴から容易に取り外すことができる。
また、保持部の幅方向に並列させた分割支持部および分割弾性変形部を交叉させて大きく回動させ分割弾性変形部の端部間の距離をより小さくすることができ、取付穴から容易に取り外すことができる。
【００２１】
さらに、分割弾性変形部は保持部の幅方向に並列するので、その弾性復帰する弾性力が偏った方向に加えることがなく、回転力を加えることなく取付部材を取り付けることができる。
【図面の簡単な説明】
【図１】本発明に係るクリップの第１実施形態を示す図であり、（ａ）はその正面図、（ｂ）はその底面図である。
【図２】その使用時の一状態を示す正面図である。
【図３】その使用を説明する斜視図である。
【図４】本発明に係るクリップの第２実施形態を示す図であり、その底面図である。
【図５】その従来例を示す図であり、その使用を説明する斜視図である。
【図６】その使用時の変形を時系列に説明する状態図である。
【図７】その取付時を示す一部断面図である。
【符号の説明】
10    クリップ
11    リング部（保持部）
12、13、22〜24    支持部（分割支持部）
14、15、25〜27    係止羽根部（分割弾性変形部）
14ａ、15ａ、2ａ5〜27ａ    端部
18    ロック機構
19    ヒンジ部
Ｈ    取付穴
Ｐ    パネル（被取付部材）
Ｗ    ワイヤーハーネス（取付部材）
【図１】
0003632426.tif 000002
【図２】
0003632426.tif 000003
【図３】
0003632426.tif 000004
【図４】
0003632426.tif 000005
【図５】
0003632426.tif 000006
【図６】
0003632426.tif 000007
【図７】
0003632426.tif 000008